(57)【要約】【課題】廃棄対象物の感触が手に伝わることなく容易に廃棄対象物を確保して収容することができる技術を提供することを課題とする。【解決手段】開口部１１を有する収容箱１０と、一対のアーム２０と、一対のアーム２０に固定される操作体３０と、を備え、収容箱１０の開口部１１から一対のアーム２０の先部２２を突出させた状態で操作体３０が操作されることによって、一対のアーム２０を互いに近接するように作動させて一対のアーム２０で廃棄対象物を確保するとともに、前記確保した廃棄対象物が収容箱１０内に位置するように一対のアーム２０を収容箱１０内に移動させて廃棄対象物を収容箱１０内に収容するように構成される、廃棄具１とする。【選択図】図１
2014231411.tif 000002
【特許請求の範囲】
【請求項１】
開口部を有する収容箱と、前記収容箱内を移動可能に構成される一対のアームと、前記一対のアームに固定される操作体と、を備え、
前記収容箱の開口部から前記一対のアームの先部を突出させた状態で前記操作体が操作されることによって、前記一対のアームを互いに近接するように作動させて前記一対のアームで廃棄対象物を確保するとともに、前記確保した廃棄対象物が前記収容箱内に位置するように前記一対のアームを移動させて前記廃棄対象物を前記収容箱内に収容するように構成される、廃棄具。
【請求項２】
前記一対のアームは、前記一対のアームの先部が収容箱内において互いの方向に向かってそれぞれ突出するとともに前記収容箱の開口部から見て互いに重なるように構成される、請求項１に記載の廃棄具。
【請求項３】
紙製素材で構成される、請求項１または請求項２に記載の廃棄具。
【発明の詳細な説明】
【技術分野】
【０００１】
本発明は、廃棄具の技術に関する。
【背景技術】
【０００２】
従来、昆虫の死骸（例えば、ゴキブリや毛虫の死骸）、また、糞等の廃棄対象物を確保して廃棄する作業を行うときに、廃棄対象物が汚い、また、廃棄対象物の感触が手に伝わる等のことから、廃棄対象物に直接触れることが困難に感じる者が多数存在することが知られている。
このように廃棄対象物に直接触れることが困難に感じる者が廃棄対象物の確保等の作業を行うときに用いられる道具（廃棄具）としては、ビニール袋やチリ紙等が知られている。前記ビニール袋等の廃棄具は、当該ビニール袋等で廃棄対象物に手が直接触れることが無いような状態（例えば、ビニールで手を覆った状態）にして、廃棄対象物を掴んで確保するように用いられる。
また、このように廃棄対象物に直接触れることが困難に感じる者が廃棄対象物の確保等の作業を行うときに用いられる道具（廃棄具）としては、ほうき、箸、また、粘着部を備えるもの（特許文献１参照）等が知られている。前記ほうき等の廃棄具は、排棄対象物を確保して、当該確保した廃棄対象物をゴミ袋やゴミ箱等に収容するようにして用いられる。
【先行技術文献】
【特許文献】
【０００３】
【特許文献１】実開平７−１３１８１号公報
【発明の概要】
【発明が解決しようとする課題】
【０００４】
しかしながら、前記ビニール袋等の廃棄具では、廃棄対象物を掴んだときに、廃棄対象物の感触が尚も手に伝わる場合がある。
また、ほうき等の廃棄具では、廃棄対象物を確保して収容する動作が、一方の手で廃棄具を持って廃棄対象物を確保し、当該排棄対象物を確保した状態を保持したまま他方の手で持ったゴミ袋に排棄対象物を収容する必要があり、廃棄対象物を確保して収容する動作が繁雑なものであった。
【０００５】
本発明は以上の如き状況に鑑みてなされたものであり、廃棄対象物の感触が手に伝わることなく容易に廃棄対象物を確保して収容することができる技術を提供することを課題とする。
【課題を解決するための手段】
【０００６】
本発明の解決しようとする課題は以上の如くであり、次にこの課題を解決するための手段を説明する。
【０００７】
即ち、請求項１においては、開口部を有する収容箱と、前記収容箱内を移動可能に構成される一対のアームと、前記一対のアームに固定される操作体と、を備え、前記収容箱の開口部から前記一対のアームの先部を突出させた状態で前記操作体が操作されることによって、前記一対のアームを互いに近接するように作動させて前記一対のアームで廃棄対象物を確保するとともに、前記確保した廃棄対象物が前記収容箱内に位置するように前記一対のアームを移動させて前記廃棄対象物を前記収容箱内に収容するように構成される、廃棄具とするものである。
【０００８】
請求項２においては、前記一対のアームは、前記一対のアームの先部が収容箱内において互いの方向に向かってそれぞれ突出するとともに前記収容箱の開口部から見て互いに重なるように構成されるものである。
【０００９】
請求項３においては、紙製素材で構成されるものである。
【発明の効果】
【００１０】
本発明の効果として、以下に示すような効果を奏する。
【００１１】
即ち、本発明によれば、廃棄対象物の感触が手に伝わることなく容易に廃棄対象物を確保して収容することができる。
【図面の簡単な説明】
【００１２】
【図１】本発明の実施形態に係る廃棄具の全体的な構成を示した斜視図。
【図２】同じく廃棄具の分解した状態を示した斜視図。
【図３】同じく廃棄具の収容箱を展開した状態を示した平面図。
【図４】同じく廃棄具の収容箱を開口部側から見た図。
【図５】同じく廃棄具の収容箱を貫通孔側から見た図。
【図６】同じく廃棄具のアームを展開した状態を示した平面図。
【図７】同じく廃棄具の操作体を展開した状態を示した平面図。
【図８】同じく廃棄具のアームと操作体とを示した斜視図。
【図９】同じく廃棄具のアームと操作体とをアームの先部側から見た図。
【図１０】同じく廃棄具の操作体を示した斜視図。
【図１１】同じく廃棄具を用いて廃棄対象物を確保して収容する動作を示した模式図。
【図１２】同じく廃棄具を用いて廃棄対象物を確保して収容する動作を示した模式図。
【図１３】同じく廃棄具を用いて廃棄対象物を確保して収容する動作を示した模式図。
【図１４】同じく廃棄具の未使用時の状態を示した斜視図。
【図１５】同じく廃棄具の操作体が収容箱に固定された状態を示した側面図。
【図１６】同じく廃棄具の操作体が収容箱に固定された状態を示した平面図。
【図１７】同じく廃棄具の全体的な構成を示した斜視図。
【図１８】同じく廃棄具の分解した状態を示した斜視図。
【図１９】同じく廃棄具の収容箱を展開した状態を示した平面図。
【図２０】同じく廃棄具の収容箱を貫通孔側から見た図。
【図２１】同じく廃棄具の操作体を展開した状態を示した平面図。
【図２２】同じく廃棄具のアームと操作体とを示した斜視図。
【図２３】同じく廃棄具の操作体が収容箱に固定された状態を示した側面図。
【図２４】同じく廃棄具の操作体が収容箱に固定された状態を示した平面図。
【図２５】同じく廃棄具の収容箱を展開した状態を示した平面図。
【図２６】同じく廃棄具のアームを展開した状態を示した平面図。
【図２７】同じく廃棄具の操作体を展開した状態を示した平面図。
【発明を実施するための形態】
【００１３】
次に、本発明の実施形態に係る図１から図１６に記載の廃棄具１について説明する。
【００１４】
廃棄具１は、廃棄対象物を確保して収容し、当該収容した状態で廃棄対象物を廃棄するものである。
廃棄対象物とは、例えば、昆虫の死骸（例えば、ゴキブリや毛虫の死骸）、また、糞等のものを示す。
廃棄具１は、紙製素材で構成され、図１または図２に示すように、収容箱１０と、一対のアーム２０と、操作体３０と、を備える。
【００１５】
廃棄具１の収容箱１０は、確保した廃棄対象物を収容可能に構成される。
収容箱１０は、図３に示す展開した状態の一枚の紙製素材のものから、その折線が折られ、また、接着片同士が接着されて、組上げられることによって構成される（図４または図５参照）。
収容箱１０は、中空状に形成されるとともに、直方体の一側面が開口するように形成される。
収容箱１０は、開口部１１と、貫通孔１２と、を有する。
収容箱１０の開口部１１は、前記一側面の開口で構成される。
収容箱１０の貫通孔１２は、操作体３０が貫通孔１２に当接しながら移動可能に貫挿されるように構成される。貫通孔１２は、開口部１１と対向する面に配置される。貫通孔１２は、収容箱１０の外側から内側に貫通するように形成される。
【００１６】
廃棄具１の一対のアーム２０は、互いに近接するように（閉じるように）作動して廃棄対象物を確保するように構成される。
一対のアーム２０は、図６に示す展開した状態の一枚の紙製素材のもの（平面視略長方形に形成されるもの）から、その折線（三箇所の折線）が折られることによって構成される。
一対のアーム２０は、それぞれ一体的に構成される。
一対のアーム２０は、それぞれ基部２１と先部２２とを有する。
一対のアーム２０の基部２１と先部２２とは、その開閉する方向と交差する方向の幅が収容箱１０の開口部１１の幅（開口部１１の長手方向の幅）と略同一（若干小さく）に構成される。
一対のアーム２０の基部２１は、その一辺同士が互いに連接するように構成される。一対のアーム２０の基部２１は、前記一枚の紙製素材の折線が折られることによって側面視Ｖ時状に構成される。
一対のアーム２０の先部２２は、それぞれの基部２１（前記基部２１同士が連接される側と反対側の辺）にそれぞれ連接するように構成される。一対のアーム２０の先部２２は、前記一枚の紙製素材の折線が折られることによって互いの方向に向かって突出するように構成される。
【００１７】
廃棄具１の一対のアーム２０は、収容箱１０内を移動可能に構成される。一対のアーム２０は、移動することによって収容箱１０の開口部１１から先部２２が突出可能に構成される。
一対のアーム２０は、先部２２同士または基部２１同士が互いに近接または離間して、開閉するように構成される。
一対のアーム２０は、基部２１同士の境界部分の中央部に切込み２３が形成されて構成される。
【００１８】
廃棄具１の操作体３０は、廃棄具１を用いて廃棄対象物を確保して収容箱１０内に収容するときに、作業者に操作されるように構成される。
操作体３０は、図７に示す展開した状態の一枚の紙製素材のもの（平面視略長方形に形成されるもの）から、その折線が折られることによって構成される。
操作体３０は、収容箱１０の貫通孔１２に貫挿される。操作体３０は、収容箱１０の貫通孔１２に貫挿された状態で、収容箱１０の開口部１１から貫通孔１２の方向また収容箱１０の貫通孔１２から開口部１１の方向に移動可能に構成される。操作体３０は、一対のアーム２０に固定される。
操作体３０の一端部３１は、収容箱１０内に位置される。
操作体３０の他端部３２は、収容箱１０外に位置される。
【００１９】
廃棄具１の操作体３０は、一端部３１に一対の片部３４が形成され、他端部３２に一対の片部３５が形成されて構成される。
操作体３０における一端部３１の一対の片部３４・３４と他端部３２の一対の片部３５・３５とは、一端部３１と他端部３２とにおいて短手方向の中央部から長手方向に沿って切込みがそれぞれ形成されることによって構成される。
【００２０】
廃棄具１では、操作体３０の一端部３１が一対のアーム２０の切込み２３に嵌挿された状態で、操作体３０の一端部３１の一対の片部３４がそれぞれ離間する方向に折られて一対のアーム２０の基部２１の内側にそれぞれ接着されることによって、一対のアーム２０に操作体３０が固定される（図８または図９参照）。
廃棄具１では、操作体３０の他端部３２が収容箱１０外に突出するように操作体３０が収容箱１０の貫通孔１２に貫挿された状態で、操作体３０の他端部３２の一対の片部３５が平面視略ハ字状に折られて構成される（図１０参照）。
【００２１】
次に、このように構成される廃棄具１を用いて床面上の廃棄対象物を確保して収容する動作について説明する。
まず、廃棄具１の操作体３０を操作して（操作体３０を押込んで）一対のアーム２０の先部２２を収容箱１０の開口部１１から突出させ、廃棄対象物の大きさに合わせて一対のアーム２０の先部２２同士および基部２１同士が互いに離間するように一対のアーム２０を広げる（図１１参照）。このとき、廃棄具１の一対のアーム２０の基部２１の外側の面（収容箱１０の開口側の面）が収容箱１０の開口部１１に当接するように、一対のアーム２０を広げる。またこのとき、廃棄具１の一対のアーム２０の先部２２の突出する方向（先部２２における基部２１に対する角度）を、廃棄対象物を確保し易いように調節する。例えば、廃棄具１の一対のアーム２０の先部２２の突出する方向を、互いに向合うようにする。
次に、廃棄具１の一対のアーム２０の先部２２を、廃棄対象物の外側に配置するとともに、廃棄対象物を下方から掬えるように床面の近傍に配置する（図１２参照）。
次に、このような状態で、廃棄具１の操作体３０を引張るように操作する（図１３参照）。
このように廃棄具１の操作体３０を引張ることにより、一対のアーム２０の基部２１の収容箱１０の開口部１１に当接する箇所が一対のアーム２０の先部２２側に次第に移動して行くため一対のアーム２０が互いに近接するように（閉じるように）次第に作動して行き、一対のアーム２０の先部２２を廃棄対象物と床面との間に位置させるとともに一対のアーム２０の基部２１で廃棄対象物を挟み込むようにして廃棄対象物を確保する。
また、このように廃棄具１の操作体３０を引張ることにより、一対のアーム２０は、廃棄対象物を確保するとともに、前記確保した廃棄対象物が収容箱１０内に位置するように収容箱１０内側（収容箱１０の開口部１１と反対側）に次第に移動して行き、当該確保した廃棄対象物を収容箱１０内に収容する。
【００２２】
以上のように、開口部１１を有する収容箱１０と、収容箱１０内を移動可能に構成される一対のアーム２０と、一対のアーム２０に固定される操作体３０と、を備え、収容箱１０の開口部１１から一対のアーム２０の先部２２を突出させた状態で操作体３０が操作されることによって、一対のアーム２０を互いに近接するように作動させて一対のアーム２０で廃棄対象物を確保するとともに、前記確保した廃棄対象物が収容箱１０内に位置するように一対のアーム２０を収容箱１０内に移動させて廃棄対象物を収容箱１０内に収容するように構成される、廃棄具１では、廃棄対象物を一対のアーム２０で確保して（廃棄対象物の感触が手に伝わることなく）収容箱１０に収容し、廃棄対象物の確保から収容までを一連の動作で行うことができる。
したがって、廃棄具１によれば、廃棄対象物の感触が手に伝わることなく容易に廃棄対象物を確保して収容することができる。
【００２３】
廃棄具１のアーム２０の先部２２は、その開閉する方向の幅（先部２２の短手方向の幅）が収容箱１０の開口部１１の幅（開口部１１の短手方向の幅）よりも小さく構成されるとともに、収容箱１０の開口部１１の幅の１／２の大きさよりも大きく構成される。
一対のアーム２０は、その先部２２が、収容箱１０に配置された状態で、互いの方向に向かってそれぞれ突出するように構成される。
このため、一対のアーム２０は、その先部２２が、収容箱１０に配置された状態では、収容箱１０の開口部１１から見て（一対のアーム２０が収容箱１０内を移動する方向に対して）互いに重なるように構成される。
【００２４】
以上のように、一対のアーム２０が、一対のアーム２０の先部２２が収容箱１０内において互いの方向に向かってそれぞれ突出するとともに収容箱１０の開口部１１から見て互いに重なるように構成される、廃棄具１では、一対のアーム２０における内側の空間（廃棄対象物が確保される空間）と収容箱１０内における開口部１１側の空間とが、一対のアーム２０の先部２２によって仕切られる（閉ざされる）こととなる。
したがって、廃棄具１によれば、収容箱１０内においてアーム２０に確保された廃棄対象物が、一対のアーム２０の先部２２によってアーム２０から脱落することを防止することができ、収容箱１０内において廃棄対象物が確保された状態を保持することができる。
【００２５】
廃棄具１は、紙製素材で構成されるため、製品コストを低減させることができ、廃棄対象物を収容箱１０内に収容した状態で廃棄できるものを安価に実現することができる（使い捨てのものとして用いることができる）。
また、廃棄具１では、紙製素材で構成されることから、折線を折りまた延ばして（拉げさせて）厚みを薄くすることができ（図１４参照）、未使用時にコンパクトに構成することができる。
【００２６】
廃棄具１の操作体３０は、その他端部３２に粘着部材３３が設けられて構成される。操作体３０の粘着部材３３は、紙製素材に対して、再粘着または再剥離が可能に構成される。
操作体３０は、折線を折って、その粘着部材３３を収容箱１０の外側の面（上面）に粘着させることによって、収容箱１０に固定可能（取付け可能）に構成される（図１５または図１６参照）。
廃棄具１の一対のアーム２０は、前記操作体３０が収容箱１０に固定された（取付けられた）状態では、移動しないように構成される。
【００２７】
以上のように、操作体３０が収容箱１０に固定可能に構成され、一対のアーム２０が操作体３０が収容箱１０に固定された状態では移動しないように構成される、廃棄具１では、廃棄対象物を確保して収容箱１０内に位置する一対のアーム２０が移動して収容箱１０の開口部１１から突出することを防止することができ、収容箱１０内において廃棄対象物が収容された状態を保持することができる。
【００２８】
廃棄具１の一対のアーム２０の先部２２は、その突出する方向の端縁（基部２１に連接される側と反対側の辺）の形状が緩やかに凸状に湾曲するように形成されて構成される（図１または図６参照）。
このため、廃棄具１では、一対のアーム２０で廃棄対象物を確保するときにおける一対のアーム２０の先部２２の端縁同士の接触する面積（箇所）が、先部２２の端縁が直線状に形成されるものに比べて小さく（少なく）なり、一対のアーム２０が閉じるときの動作をスムーズに行うことができる。
【００２９】
廃棄具１の操作体３０の他端部３２は、操作体３０の他端部３２の一対の片部３５が平面視略ハ字状に折られることによって、操作体３０の他端部３２の幅が収容箱１０の貫通孔１２の幅よりも大きくなるように構成される（図１０参照）。
このため、廃棄具１では、操作体３０が収容箱１０の貫通孔１２から収容箱１０内側に脱落することを防止することができる。
【００３０】
次に、本発明の実施形態に係る図１７から図２４に記載の廃棄具１について説明する。
なお、図１７から図２４に記載の廃棄具１の説明では、図１から図１６に記載の廃棄具１と同様の構成の部分については適宜省略し、図１から図１６に記載の廃棄具１の構成と異なる部分を中心に説明する。
【００３１】
廃棄具１は、図１７または図１８に示すように、収容箱１０と、一対のアーム２０と、操作体３０と、を備える。
【００３２】
廃棄具１の収容箱１０は、図１９に示す展開した状態の一枚の紙製素材のものから、その折線が折られ、また、接着片同士が接着されて、組上げられることによって構成される（図２０参照）。
【００３３】
廃棄具１の操作体３０は、図２１に示す展開した状態の一枚の紙製素材のもの（平面視略長方形に形成されるもの）から、その折線が折られることによって構成される。操作体３０は、その長手方向中央において二つ折りに折られることによって構成される。
【００３４】
廃棄具１の操作体３０は、図１７または図１８に示すように、一端部３６が他の部分に比べて幅が狭く形成されて構成される。
廃棄具１では、操作体３０の一端部３６が一対のアーム２０の切込み２３に嵌挿された状態で、一対のアーム２０の基部２１の内側にそれぞれ接着されることによって、一対のアーム２０に操作体３０が固定される（図２２参照）。
【００３５】
廃棄具１の操作体３０は、他端部３７が他の部分に比べて幅が広く形成されて構成される。
操作体３０の他端部３７は、幅方向外側端部が角張るように構成される。操作体３０の他端部３７は、他端部３７側先端に行くに従って次第に幅が狭くなるように構成される。
廃棄具１では、操作体３０の他端部３７が収容箱１０外に突出するように、収容箱１０の貫通孔１２に操作体３０が貫挿される。
【００３６】
廃棄具１の収容箱１０は、図１７乃至図１９に示すように、挿入孔を有する。
収容箱１０の挿入孔１３は、収容箱１０の上面に形成される。収容箱１０の挿入孔１３は、貫通孔１２が形成される面と連接される面（隣接する面）、または、開口部１１に隣接する面に配置される。
収容箱１０の挿入孔１３は、操作体３０の他端部３７が挿入可能に構成される。収容箱１０の挿入孔１３は、その幅が操作体３０の他端部３７の幅（他端部３７の幅方向外側端部）よりも若干小さく形成されて構成される。収容箱１０の挿入孔１３は、操作体３０の他端部３７が挿入された状態では、操作体３０の他端部３７が収容箱１０内に位置した状態で操作体３０の他端部３７（他端部３７の幅方向外側端部）が引っ掛かるように構成される。
【００３７】
廃棄具１の操作体３０は、収容箱１０の挿入孔１３に操作体３０の他端部３７が挿入されることによって操作体３０の他端部３７が収容箱１０内に位置した状態で操作体３０の他端部３７（他端部３７の幅方向外側端部）が引っ掛かって、収容箱１０に固定可能（取付け可能）に構成される（図２３または図２４参照）。
廃棄具１の一対のアーム２０は、前記操作体３０が収容箱１０に固定された（取付けられた）状態では、移動しないように構成される。
【００３８】
以上のように、操作体３０が収容箱１０に固定可能に構成され、一対のアーム２０が操作体３０が収容箱１０に固定された状態では移動しないように構成される、廃棄具１では、廃棄対象物を確保して収容箱１０内に位置する一対のアーム２０が移動して収容箱１０の開口部１１から突出することを防止することができ、収容箱１０内において廃棄対象物が収容された状態を保持することができる。
【００３９】
なお、廃棄具１の操作体３０は、収容箱１０の挿入孔１３に操作体３０の他端部３７が挿入された状態において、操作体３０の他端部３７の向きを変えることによって、操作体３０の他端部３７が収容箱１０内において引っ掛かった状態を解消して、収容箱１０の挿入孔１３から操作体３０の他端部３７を引き抜ぬいて、操作体３０の収容箱１０に固定された状態（取付けられた状態）が解消されるようにように構成することもできる。
また、廃棄具１は、図２５乃至図２７に示すように、収容箱１０、アーム２０、および、操作体３０のそれぞれに、所望のデザインを施して構成することもできる。
【符号の説明】
【００４０】
１    廃棄具
１０  収容箱
１１  開口部
１２  貫通孔
２０  アーム
２１  基部
２２  先部
３０  操作体
３１  一端部
３２  他端部
３３  粘着部材
【図１】
2014231411.tif 000003
【図２】
2014231411.tif 000004
【図３】
2014231411.tif 000005
【図４】
2014231411.tif 000006
【図５】
2014231411.tif 000007
【図６】
2014231411.tif 000008
【図７】
2014231411.tif 000009
【図８】
2014231411.tif 000010
【図９】
2014231411.tif 000011
【図１０】
2014231411.tif 000012
【図１１】
2014231411.tif 000013
【図１２】
2014231411.tif 000014
【図１３】
2014231411.tif 000015
【図１４】
2014231411.tif 000016
【図１５】
2014231411.tif 000017
【図１６】
2014231411.tif 000018
【図１７】
2014231411.tif 000019
【図１８】
2014231411.tif 000020
【図１９】
2014231411.tif 000021
【図２０】
2014231411.tif 000022
【図２１】
2014231411.tif 000023
【図２２】
2014231411.tif 000024
【図２３】
2014231411.tif 000025
【図２４】
2014231411.tif 000026
【図２５】
2014231411.tif 000027
【図２６】
2014231411.tif 000028
【図２７】
2014231411.tif 000029